(57)【要約】【課題】  簡単な構成で多様な柄模様が表現できる壁パネルを提供する。【解決手段】  基板１に透明又は半透明の合成樹脂製の化粧シート２を柄材を混入した接着剤３で単層又は複数層貼り付けて壁パネルを構成する。接着剤３中に混入した柄材により透明又は半透明の化粧シート２を介して模様表現を行う。接着剤３中に混入する柄材の種類や量を選択することで、同一種類の化粧シート２を用いて多様な柄模様を実現する。【選択図】        図１
2005048438.tif 000002
【特許請求の範囲】
【請求項１】
合成樹脂製の基板に透明又は半透明の合成樹脂製の化粧シートを柄材を混入した接着剤で単層又は複数層貼り付けて成ることを特徴とする壁パネル。
【請求項２】
化粧シートの一部を透明部とし、他の部分を半透明部として成ることを特徴とする請求項１記載の壁パネル。
【発明の詳細な説明】
【技術分野】
【０００１】
本発明は、壁パネル、特に、浴室壁のような水廻りの部分に使用する壁パネルに関するものである。
【背景技術】
【０００２】
従来から浴室ユニットのような浴室壁の壁パネルは、ＦＲＰなどの熱硬化性合成樹脂や熱可塑性合成樹脂などの合成樹脂製の基板にＰＥＴシートと印刷を施したＰＰシートなどの化粧シートを複層に組み合わせたシートを接着剤で貼り付けていた。
【０００３】
また、セメント板、珪酸カルシウム板等の無機質系基板の表面にシーラー層、ベースコート層を施し、ベースコート層に接着剤を介して柄印刷層を有する合成樹脂シートと透明シートとを貼り付けた無機質化粧板も従来から知られている。（例えば、特許文献１、特許文献２参照）
ところが、上記の従来例にあっては、柄印刷した化粧シートを必要とし、化粧シートのコストが高くなるという問題があり、更に、１種類の化粧シートでは１種類の意匠表現しかできず、多様な意匠表現ができないという問題があった。
【特許文献１】特開２０００−２６３７３８号公報
【特許文献２】特開２０００−１５７３９号公報
【発明の開示】
【発明が解決しようとする課題】
【０００４】
本発明は上記の従来の問題点に鑑みて発明したものであって、簡単な構成で多様な柄模様が表現できる壁パネルを提供することを課題とするものである。
【課題を解決するための手段】
【０００５】
上記課題を解決するために本発明に係る壁パネルは、合成樹脂製の基板１に透明又は半透明の合成樹脂製の化粧シート２を柄材を混入した接着剤３で単層又は複数層貼り付けて成ることを特徴とするものである。
【０００６】
このような構成とすることで、接着剤３中に混入した柄材により透明又は半透明の化粧シート２を介して模様表現ができるものであり、しかも、接着剤３中に混入する柄材の種類や量を選択することで、同一種類の化粧シート２を用いて多様な柄模様の壁パネルを提供できるものである。
【０００７】
また、化粧シート２の一部を透明部２ｃとし、他の部分を半透明部２ｄとしてすることが好ましい。
【０００８】
このような構成とすることで、半透明部２ｄを通して見える柄模様は少しぼかしがかかったように見えると共に透明部２ｃを通して見える柄模様はクリアーに見え、これが隣接していることで、変化に富んだ柄模様を現出することができ、例えば、透明部２ｃ、又は半透明部２ｄを帯状に設けることで、壁パネル４の下部を他の部分と異なる模様として腰壁表現をしたり、あるいは、壁パネル４の上下方向の中間部分を他の部分と異なる模様としてボーダ柄表現をしたりすることも可能となる。
【発明の効果】
【０００９】
本発明は、上記のように、簡単な構成で接着剤中に混入した柄材により透明又は半透明の化粧シートを介して模様表現ができ、しかも、接着剤中に混入する柄材の種類や量を選択することで、同一種類の化粧シートを用いて安価に多様な柄模様の壁パネルを提供できる。
【発明を実施するための最良の形態】
【００１０】
以下、本発明を添付図面に示す実施形態に基いて説明する。
【００１１】
図１、図２にはそれぞれ本発明の壁パネル４の概略断面図が示してある。本発明の壁パネル４はＦＲＰ、ＢＭＣなどの熱硬化性合成樹脂や熱可塑性合成樹脂よりなる合成樹脂製の基板１にＰＥＴなどの透明又は半透明の合成樹脂製の化粧シート２を単層又は複層に組み合わせて接着剤３により貼り付ける構造となっており、耐水性に優れ、浴室等の水廻り箇所における壁パネル４として使用できる。
【００１２】
図１には合成樹脂製の基板１に接着剤３によりＰＥＴなどの透明又は半透明の化粧シート２を単層貼り付けた例を示し、図２には合成樹脂製の基板１に接着剤３によりＰＥＴなどの透明又は半透明の化粧シート２を複層貼り付けた例を示している。
【００１３】
本発明に使用する接着剤３としては反応性ホットメルトを用いるのが好ましく、更に、接着剤３には、粒径が細かいマイカ、アルミニウム、酸化チタンなどの小片、粒体、粉末等の柄材が添加してある。接着剤３に柄材を混入するには１種類混入してもよく、あるいは複数種類の柄材を混入するようにしてもよい。
【００１４】
合成樹脂製の基板１に上記のような柄材を混入した接着剤３により透明又は半透明の合成樹脂製の化粧シート２を単層又は複層貼り付けることで、柄材を混入した接着剤３の層が模様層となり、表面の透明又は半透明の合成樹脂製の化粧シート２を介して接着剤３中に混入された柄材により表現される柄模様が見えることになる。しかも、表面の化粧シート２が一種類であっても、混入する柄材の種類、混入量、接着剤３中における柄材の分散状態により柄の出方が異なって、自然な表現の多様な柄模様が得られるものであり、また、基板１の表面に化粧シート２を接着剤３により貼り付けるに当たり、基板１の表面の一部に上記柄材を混入した接着剤３を塗布すると共に基板１の表面の他の部分には柄材を混入しない接着剤を塗布して、透明又は半透明の合成樹脂製の化粧シート２を貼り付けることで、柄模様がある部分と柄模様が無い部分とを併せ持つ壁パネル４とすることも可能であり、また、基板１の表面の異なる部分にそれぞれ柄材の種類や混入量等が異なる複数種類の柄材を混入した接着剤３を塗布して透明又は半透明の合成樹脂製の化粧シート２を貼り付けることで、表面に複数箇所が異なる柄模様となった壁パネル４とすることも可能である。
【００１５】
そして、いずれの場合も、柄模様が単層又は複層の透明又は半透明の化粧シート２で覆われるため、深み観のある柄表現が可能となるものである。
【００１６】
化粧シート２を複層とするものにおいては、例えば図２に示すように、１層目の化粧シート２ａと２層目の化粧シート２ｂとを積層一体化した化粧シート２とし、１層目の化粧シート２ａを透明とし、２層目の化粧シート２ｂが一部を透明部２ｃとなり且つ他の部分が半透明部２ｄとした構成となっていると、柄模様の深み観を出すだけでなく、半透明部２ｄを通して見える柄模様は少しぼかしがかかったように見えると共に透明部２ｃを通して見える柄模様はクリアーに見え、これが隣接していることで、変化に富んだ柄模様が現出できることになる。特に、透明部２ｃ、又は半透明部２ｄを帯状に設けると、壁パネル４の下部を他の部分と異なる模様として腰壁表現ができるものであり、あるいは、壁パネル４の上下方向の中間部分を他の部分と異なる模様としてボーダ柄表現ができるものである。
【００１７】
ところで、柄材の添加量は、接着剤に柄材を加えた柄材入り接着剤３の全量に対して３重量％以下が好ましいものである。
【００１８】
ここで、接着剤３に混入する柄材が３重量％を超えると、接着剤３の本来の接着性を損なうので好ましくないものである。
【００１９】
また、接着剤３に混入する柄材の最大粒径は１．２ｍｍであり、柄材の最大粒径が１．２ｍｍを超えると接着剤３の接着性を損なうので好ましくないものである。
【００２０】
一例を挙げると、ウレタン系接着剤に、粒径が１２０μｍのマイカを接着剤に柄材を加えた柄材入り接着剤３の全量に対して１重量％添加する。
【図面の簡単な説明】
【００２１】
【図１】本発明の一実施形態の断面図である。
【図２】他の実施形態の断面図である。
【符号の説明】
【００２２】
１  基板
２  化粧シート
３  接着剤
【図１】
2005048438.tif 000003
【図２】
2005048438.tif 000004